(57)【要約】【課題】使用時の利便性を向上させることが可能な画像投写装置及びその制御方法を提供する。【解決手段】制御部２０は、画像供給装置ＰＣとの無線ＬＡＮによる接続が確立すると、ランプ駆動部２５に指示をして、光源１１１を点灯させる。画像供給装置ＰＣから無線通信によって送信された画像データは、画像データ処理部２３によって処理された後、画像投写部１０に送られ、画像データに応じた画像がスクリーンＳＣ等に投写される。また、制御部２０は、画像の投写中に、画像供給装置ＰＣから切断要求コマンドを受信すると、所定の切断処理を実施し、これによって画像供給装置ＰＣとの接続が切断されると、ランプ駆動部２５に指示をして、光源１１１を消灯させる。【選択図】図１
2007334180.tif 000002
【特許請求の範囲】
【請求項１】
外部の画像供給装置から受信した画像データに基づき、光源から射出された光を変調して投写する画像投写装置であって、
前記画像供給装置にネットワーク接続され、前記画像供給装置との間でデータ通信を行う通信部と、
前記光源から射出された光を、前記通信部で受信した前記画像データに応じて変調する光変調装置と、
前記光変調装置で変調された光を投写する投写光学系と、
前記通信部と前記画像供給装置との接続状態に応じて前記光源の点灯状態を制御する光源制御部と、
を有することを特徴とする画像投写装置。
【請求項２】
請求項１に記載の画像投写装置であって、前記光源制御部は、前記画像供給装置との前記ネットワーク接続が確立した場合に、前記光源を点灯させることを特徴とする画像投写装置。
【請求項３】
請求項１に記載の画像投写装置であって、前記光源制御部は、前記画像供給装置から、前記ネットワーク接続を行うための接続要求を受信した場合に、前記光源を点灯させることを特徴とする画像投写装置。
【請求項４】
請求項１〜３のいずれか１項に記載の画像投写装置であって、前記光源制御部は、前記画像供給装置との前記ネットワーク接続が切断された場合に、前記光源を消灯させることを特徴とする画像投写装置。
【請求項５】
請求項１〜３のいずれか１項に記載の画像投写装置であって、前記光源制御部は、前記画像供給装置から、前記ネットワーク接続を切断するための切断要求を受信した場合に、前記光源を消灯させることを特徴とする画像投写装置。
【請求項６】
請求項１〜５のいずれか１項に記載の画像投写装置であって、前記光源は、固体光源であることを特徴とする画像投写装置。
【請求項７】
ネットワーク接続された外部の画像供給装置から画像データを受信して、前記画像データに基づき、光源から射出された光を変調して投写する画像投写装置の制御方法であって、
前記画像供給装置から、前記ネットワーク接続を行うための接続要求を受信する第１の工程と、
前記第１の工程で受信した接続要求に応じて、前記画像供給装置との前記ネットワーク接続を確立する第２の工程と、
前記第１の工程、又は前記第２の工程の後に、前記光源を点灯させる第３の工程と、
を有することを特徴とする画像投写装置の制御方法。
【請求項８】
ネットワーク接続された外部の画像供給装置から画像データを受信して、前記画像データに基づき、光源から射出された光を変調して投写する画像投写装置の制御方法であって、
前記画像供給装置から、前記ネットワーク接続を切断するための切断要求を受信する第４の工程と、
前記第４の工程で受信した切断要求に応じて、前記画像供給装置との前記ネットワーク接続を切断する第５の工程と、
前記第４の工程、又は前記第５の工程の後に、前記光源を消灯させる第６の工程と、
を有することを特徴とする画像投写装置の制御方法。
【発明の詳細な説明】
【技術分野】
【０００１】
本発明は、ネットワークを介して画像データを受信し、当該画像データに応じた画像を投写する画像投写装置及びその制御方法に関する。
【背景技術】
【０００２】
光源から射出された光を、外部の画像供給装置から入力された画像データに応じて変調し、スクリーン等に画像を投写する画像投写装置において、画像データの入力の有無に応じて、光源の点灯や消灯を制御する画像投写装置（プロジェクタ）が提案されている（例えば、特許文献１）。特許文献１に記載のプロジェクタは、画像データが入力された際に光源を点灯させ、画像データの入力がないときに光源を消灯させることにより、ユーザによる光源の点灯や消灯操作を不要とし、利便性を向上させている。
【０００３】
【特許文献１】特開２００１−１３３８８０号公報
【発明の開示】
【発明が解決しようとする課題】
【０００４】
しかしながら、特許文献１に記載のプロジェクタは、画像供給装置からビデオケーブルを介して画像データが入力される構成であるため、プロジェクタや画像供給装置の設置位置が制限されるうえ、画像供給装置を切り替える際には、ビデオケーブルを接続し直す作業を行わなければならなかった。
一方、画像供給装置から無線通信によって画像データを受信し、当該画像データに応じた画像を投写可能なプロジェクタが実現されている。しかしながら、ユーザは画像供給装置の操作とは別に、離れた位置に設置されたプロジェクタのオン・オフ操作を行わなければならないため、利便性の向上が望まれていた。
【０００５】
本発明は上記問題を鑑みてなされたものであり、その目的は、使用時の利便性を向上させることが可能な画像投写装置及びその制御方法を提供することにある。
【課題を解決するための手段】
【０００６】
本発明の画像投写装置は、外部の画像供給装置から受信した画像データに基づき、光源から射出された光を変調して投写する画像投写装置であって、前記画像供給装置にネットワーク接続され、前記画像供給装置との間でデータ通信を行う通信部と、前記光源から射出された光を、前記通信部で受信した前記画像データに応じて変調する光変調装置と、前記光変調装置で変調された光を投写する投写光学系と、前記通信部と前記画像供給装置との接続状態に応じて前記光源の点灯状態を制御する光源制御部とを有することを特徴とする。
【０００７】
この画像投写装置によれば、通信部がネットワークを介して画像データを受信する構成であるため、ビデオケーブルの接続作業が不要になるうえ、光源制御部が、通信部と画像供給装置との接続状態に応じて光源の点灯状態を制御するため、ユーザが光源の点灯・消灯作業を行う必要がなくなり、使用時の利便性が向上する。また、通信部が画像供給装置とネットワーク接続されていない場合に、光源を消灯しておくことが可能となるため、光源の点灯に伴う電力消費を抑制することが可能となる。なお、本明細書における「接続状態」とは、ネットワーク接続が確立した状態か切断された状態かを表すものであるが、これに加えて、ネットワーク接続を確立するための処理の一部、或いは切断するための処理の一部がなされたか否かをも表すものとする。
【０００８】
この画像投写装置において、前記光源制御部は、前記画像供給装置との前記ネットワーク接続が確立した場合に、前記光源を点灯させることが望ましい。
【０００９】
この画像投写装置によれば、ネットワーク接続が確立した場合に、光源制御部が光源を点灯させるため、ユーザが光源の点灯作業を行う必要がなくなる。また、ネットワーク接続が確立するまでは、光源が消灯していることになるため、電力消費を抑制することが可能となる。
【００１０】
この画像投写装置において、前記光源制御部は、前記画像供給装置から、前記ネットワーク接続を行うための接続要求を受信した場合に、前記光源を点灯させるようにしてもよい。
【００１１】
この画像投写装置によれば、画像供給装置から接続要求を受信した場合に、光源制御部が光源を点灯させるため、ユーザが光源の点灯作業を行う必要がなくなる。また、画像供給装置から接続要求を受信するまでは、光源が消灯していることになるため、電力消費を抑制することが可能となる。
【００１２】
この画像投写装置において、前記光源制御部は、前記画像供給装置との前記ネットワーク接続が切断された場合に、前記光源を消灯させることが望ましい。
【００１３】
この画像投写装置によれば、ネットワーク接続が切断された場合に、光源制御部が光源を消灯させるため、ユーザが光源の消灯作業を行う必要がなくなる。また、ネットワーク接続が切断された後には光源が消灯するため、電力消費を抑制することが可能となる。
【００１４】
この画像投写装置において、前記光源制御部は、前記画像供給装置から、前記ネットワーク接続を切断するための切断要求を受信した場合に、前記光源を消灯させるようにしてもよい。
【００１５】
この画像投写装置によれば、画像供給装置から切断要求を受信した場合に、光源制御部が光源を消灯させるため、ユーザが光源の消灯作業を行う必要がなくなる。また、画像供給装置から切断要求を受信した後には光源が消灯するため、電力消費を抑制することが可能となる。
【００１６】
この画像投写装置において、前記光源は、固体光源であることが望ましい。
【００１７】
この画像投写装置によれば、光源に、瞬時点灯が可能な固体光源（例えば、発光ダイオードやレーザ光源等）を用いているため、点灯後すぐに安定した投写が可能となり、使用時の利便性がさらに向上する。
【００１８】
本発明の画像投写装置の制御方法は、ネットワーク接続された外部の画像供給装置から画像データを受信して、前記画像データに基づき、光源から射出された光を変調して投写する画像投写装置の制御方法であって、前記画像供給装置から、前記ネットワーク接続を行うための接続要求を受信する第１の工程と、前記第１の工程で受信した接続要求に応じて、前記画像供給装置との前記ネットワーク接続を確立する第２の工程と、前記第１の工程、又は前記第２の工程の後に、前記光源を点灯させる第３の工程とを有することを特徴とする。
【００１９】
この画像投写装置の制御方法によれば、ネットワークを介して画像データを受信する構成であるため、ビデオケーブルの接続作業が不要になるうえ、接続要求の受信後、或いはネットワーク接続の確立後に光源を点灯させるため、ユーザが光源の点灯作業を行う必要がなくなり、使用時の利便性が向上する。
【００２０】
本発明の画像投写装置の制御方法は、ネットワーク接続された外部の画像供給装置から画像データを受信して、前記画像データに基づき、光源から射出された光を変調して投写する画像投写装置の制御方法であって、前記画像供給装置から、前記ネットワーク接続を切断するための切断要求を受信する第４の工程と、前記第４の工程で受信した切断要求に応じて、前記画像供給装置との前記ネットワーク接続を切断する第５の工程と、前記第４の工程、又は前記第５の工程の後に、前記光源を消灯させる第６の工程とを有することを特徴とする。
【００２１】
この画像投写装置の制御方法によれば、ネットワークを介して画像データを受信する構成であるため、ビデオケーブルの接続作業が不要になるうえ、切断要求の受信後、或いはネットワーク接続の切断後に光源を消灯させるため、ユーザが光源の消灯作業を行う必要がなくなり、使用時の利便性が向上する。
【００２２】
また、上述した画像投写装置及びその制御方法が、画像投写装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像投写装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２３】
以下、本発明の実施形態に係る画像投写装置について、図面を参照して説明する。
図１は、画像投写装置としてのプロジェクタの概略構成を説明するためのブロック図である。
図１に示すように、プロジェクタ１は、画像の投写を行う画像投写部１０、制御部２０、入力操作部２１、通信部２２、画像データ処理部２３、ライトバルブ駆動部２４、ランプ駆動部２５等を備えている。
【００２４】
まず、画像投写部１０について説明する。
画像投写部１０は、光源１１１、光変調装置としての３つの液晶ライトバルブ１４０Ｒ，１４０Ｇ，１４０Ｂ、投写光学系としての投写レンズ１６０等によって構成されており、外部のスクリーンＳＣ等に向けて画像を投写することができる。
図２は、画像投写部１０の構成をより詳細に示す構成図であり、光源１１１から射出された光がスクリーンＳＣに至るまでの光路を示している。
図２に示すように、画像投写部１０は、照明光学系１１０と、色光分離光学系１２０と、リレー光学系１３０と、液晶ライトバルブ１４０Ｒ，１４０Ｇ，１４０Ｂと、クロスダイクロイックプリズム１５０と、投写レンズ１６０とを備えている。
【００２５】
照明光学系１１０は、超高圧水銀ランプやメタルハライドランプ等の放電型光源ランプからなる光源１１１と、第１のレンズアレイ１１２と、第２のレンズアレイ１１３と、偏光変換素子１１４と、重畳レンズ１１５とを備えている。光源１１１から射出された光束は、微小なレンズ１１２ａがマトリクス状に配置された第１のレンズアレイ１１２によって多数の微小な光束に分割される。第２のレンズアレイ１１３及び重畳レンズ１１５は、分割された光束のそれぞれが、照明対象である３つの液晶ライトバルブ１４０Ｒ，１４０Ｇ，１４０Ｂの全体を照射するように備えられている。このため、各光束が液晶ライトバルブ１４０Ｒ，１４０Ｇ，１４０Ｂで重畳され、液晶ライトバルブ１４０Ｒ，１４０Ｇ，１４０Ｂの全体がほぼ均一に照明される。
【００２６】
偏光変換素子１１４は、光源１１１からの光を液晶ライトバルブ１４０Ｒ，１４０Ｇ，１４０Ｂで効率よく利用可能とするため、特定の偏光方向を有する偏光光に揃える機能を有している。照明光学系１１０を射出した偏光光は、色光分離光学系１２０に入射する。
【００２７】
色光分離光学系１２０は、第１のダイクロイックミラー１２１と、第１の反射ミラー１２２と、第２のダイクロイックミラー１２３とを備えており、照明光学系１１０から射出された光を、波長域の異なる３色の光に分離する。第１のダイクロイックミラー１２１は、略赤色の光を透過させるとともに、透過する光よりも短波長の光を反射する。第１のダイクロイックミラー１２１を透過した赤色光Ｒは、第１の反射ミラー１２２で反射されて赤色光用の液晶ライトバルブ１４０Ｒを照明する。
【００２８】
第２のダイクロイックミラー１２３は、略青色の光を透過するとともに、透過する光よりも長波長の光を反射する。このため、第１のダイクロイックミラー１２１で反射された光のうち、緑色光Ｇは、第２のダイクロイックミラー１２３によって反射されて緑色光用の液晶ライトバルブ１４０Ｇを照明する。また、青色光Ｂは、第２のダイクロイックミラー１２３を透過し、リレー光学系１３０を通過して、青色光用の液晶ライトバルブ１４０Ｂを照明する。
【００２９】
なお、青色光Ｂの経路は、他の色光の経路に比べて長くなってしまうことから、光束の発散によって液晶ライトバルブ１４０Ｂへの照明効率が低下するのを抑制するために、青色光Ｂの経路には、リレー光学系１３０が設けられている。リレー光学系１３０は、入射側レンズ１３１と、第２の反射ミラー１３２と、リレーレンズ１３３と、第３の反射ミラー１３４と、射出側レンズ１３５とを備えている。色光分離光学系１２０から射出した青色光Ｂは、入射側レンズ１３１によってリレーレンズ１３３の近傍で収束し、射出側レンズ１３５に向けて発散する。
【００３０】
液晶ライトバルブ１４０Ｒ，１４０Ｇ，１４０Ｂのそれぞれは、一対の透明基板間に液晶が封入された液晶パネル１４１を備えており、液晶パネル１４１の内面には、液晶に対して微小領域（画素）毎に駆動電圧を印加可能な透明電極（画素電極）がマトリクス状に形成されている。また、液晶パネル１４１の入射側表面及び射出側表面には、それぞれ入射側偏光板１４２及び射出側偏光板１４３が備えられている。入射側偏光板１４２及び射出側偏光板１４３は、それぞれ特定の偏光方向の偏光光のみを透過可能であり、入射側偏光板１４２は、偏光変換素子１１４によって揃えられた偏光方向の偏光光を透過可能となっている。このため、各液晶ライトバルブ１４０Ｒ，１４０Ｇ，１４０Ｂに入射する各色光の大部分は入射側偏光板１４２を透過して、液晶パネル１４１に入射する。
【００３１】
ここで、液晶パネル１４１の各画素に、画像データに応じた駆動電圧が印加されると、液晶パネル１４１に入射した光は、駆動電圧に応じて変調され、画素毎に異なる偏光方向を有した偏光光となる。この偏光光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像データに応じて、画素毎に異なる透過率で入射光を透過させることによって、階調を有する画像光が色光毎に形成される。液晶ライトバルブ１４０Ｒ，１４０Ｇ，１４０Ｂから射出した各色光からなる画像光は、クロスダイクロイックプリズム１５０に入射する。
【００３２】
クロスダイクロイックプリズム１５０は、各液晶ライトバルブ１４０Ｒ，１４０Ｇ，１４０Ｂから射出された各色の画像光を、画素毎に合成してカラー画像を表す画像光を形成する。クロスダイクロイックプリズム１５０によって合成された画像光は、投写レンズ１６０によってスクリーンＳＣ等に拡大投写され、画像として表示される。
【００３３】
図１に戻って、制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、ＣＰＵがＲＯＭに記憶されている制御プログラムに従って動作することにより、プロジェクタ１の動作を統括制御するコンピュータとして機能する。
【００３４】
入力操作部２１は、プロジェクタ１に対して各種指示を行うための複数の操作キーを備えており、ユーザが入力操作部２１の各操作キーを操作すると、入力操作部２１は、ユーザの操作内容に応じた操作信号を制御部２０に出力する。なお、遠隔操作が可能なリモコン（図示せず）を入力操作部２１として備えた構成としてもよい。この場合、リモコンは、ユーザの操作内容に応じた赤外線の操作信号を発し、図示しないリモコン信号受信部がこれを受信して制御部２０に伝達する。
【００３５】
通信部２２は、パーソナルコンピュータ等の外部の画像供給装置ＰＣとの間で無線によるデータ通信（無線通信）を行うためのインターフェイスである。本実施形態の通信部２２は、ＴＣＰ／ＩＰ（Transmission Control Protocol / Internet Protocol）をプロトコルとして用いた無線ＬＡＮ（Local Area Network）によって、画像供給装置ＰＣにネットワーク接続（無線ＬＡＮ接続）することができるようになっており、無線ＬＡＮ接続された画像供給装置ＰＣとの間で、コマンドやデータの送受信を行うことができる。また、通信部２２は、画像供給装置ＰＣから受信したデータに画像データが含まれる場合には、これを抽出して画像データ処理部２３に出力する。
【００３６】
画像データ処理部２３は、通信部２２から入力された画像データに対して、データ形式の変換や、解像度を液晶ライトバルブ１４０Ｒ，１４０Ｇ，１４０Ｂの解像度（画素数）に合わせる解像度変換、輝度調整、コントラスト調整、シャープネス調整等の各種画質調整、或いは、メニューやメッセージ等のＯＳＤ（オンスクリーンディスプレイ）画像を合成する処理等を施し、処理後の画像データをライトバルブ駆動部２４に出力する。ライトバルブ駆動部２４が、この画像データに基づいて液晶ライトバルブ１４０Ｒ，１４０Ｇ，１４０Ｂを駆動することにより、画像投写部１０から画像データに応じた画像が投写される。
【００３７】
ランプ駆動部２５は、制御部２０の指示に基づいて、光源１１１に対する電源の供給や停止を行うことにより、光源１１１の点灯や消灯を行うものであり、制御部２０とランプ駆動部２５とが、本発明の光源制御部に相当する。
【００３８】
次に、本実施形態のプロジェクタ１の動作について、図面を参照して説明する。
図３は、プロジェクタ１の動作を説明するためのフローチャートである。
ユーザの操作によりプロジェクタ１に電源が投入されると、プロジェクタ１は、図３に示すフローに従って動作を行う。
【００３９】
図３に示すように、ステップＳ２０１では、制御部２０は、ＲＯＭに記憶された制御プログラムに従って起動処理（各種初期化処理）を行った後、装置をスタンバイ状態として、入力操作部２１に対するユーザの入力操作や、通信部２２に対するコマンド入力を待機する。
【００４０】
ステップＳ２０２では、制御部２０は、画像供給装置ＰＣから、通信可能なプロジェクタを検索するための検索コマンドが入力されたか否かを判断し、検索コマンドが入力されるまで当該ステップＳ２０２を繰り返す。検索コマンドが入力されると、ステップＳ２０３に移行する。
【００４１】
検索コマンドが入力されてステップＳ２０３に移行した場合には、制御部２０は、検索コマンドを送信した画像供給装置ＰＣに対して、ＭＡＣアドレス等、プロジェクタ１の固有情報を検索応答として通信部２２から送信する。
【００４２】
ステップＳ２０４では、制御部２０は、画像供給装置ＰＣから、無線通信を行うための接続要求コマンドが入力されたか否かを判断し、接続要求コマンドが入力されるまで当該ステップＳ２０４を繰り返す。接続要求コマンドが入力されると、ステップＳ２０５に移行する。ここで、画像供給装置ＰＣが送信する接続要求コマンドには、プロジェクタ１から検索応答として受信したプロジェクタ１の固有情報等が含まれる。このため、画像供給装置ＰＣは、複数のプロジェクタから検索応答を受信した場合には、その中から所望の通信相手（プロジェクタ）をユーザに選択させ、選択されたプロジェクタの固有情報をこの接続要求コマンドに含めることにより、通信相手を指定することができる。
【００４３】
接続要求コマンドが入力されてステップＳ２０５に移行した場合には、制御部２０は、画像供給装置ＰＣへの接続処理を実行する。具体的には、制御部２０は、接続要求コマンドに含まれるプロジェクタの固有情報が自己の固有情報と一致しているか否かを確認し、一致している場合には、自己のＩＰアドレスを設定してこのＩＰアドレスを接続応答として画像供給装置ＰＣに送信する。これにより、画像供給装置ＰＣとの間でＴＣＰ／ＩＰを用いた無線ＬＡＮ接続（アドホックモード）が確立し、画像供給装置ＰＣからのデータの受信が可能となる。
【００４４】
ステップＳ２０６では、制御部２０は、ステップＳ２０５で無線ＬＡＮ接続が確立したのを受けて、ランプ駆動部２５に対して光源１１１の点灯を指示する。この結果、光源１１１が点灯し、画像の投写が可能な状態となる。
【００４５】
ステップＳ２０７では、制御部２０が通信部２２に指示をして、画像供給装置ＰＣから入力されるデータの中から画像データを抽出させて、これを画像データ処理部２３に出力させることにより、当該画像データに応じた画像が画像投写部１０から投写される。
【００４６】
ステップＳ２０８では、制御部２０は、画像供給装置ＰＣから、無線ＬＡＮ接続を切断するための切断要求コマンドが入力されたか否かを判断する。切断要求コマンドは、ユーザが画像投写の終了を表す操作を画像供給装置ＰＣに対して行った場合に、画像供給装置ＰＣから送信されるコマンドである。切断要求コマンドが入力されていない場合には、ステップＳ２０７に戻って画像の投写を継続し、切断要求コマンドが入力された場合には、ステップＳ２０９に移行する。
【００４７】
切断要求コマンドが入力されてステップＳ２０９に移行した場合には、制御部２０が、所定の切断処理を実行した後、画像供給装置ＰＣに対して切断完了コマンドを送信することにより、無線ＬＡＮ接続が切断される。その後、ステップＳ２１０では、制御部２０は、ランプ駆動部２５に指示をして光源１１１を消灯させた後、スタンバイ状態に移行して処理を終了する。
【００４８】
なお、画像の投写を行っている途中で、意図せずに、即ち切断要求コマンドを受信することなく無線ＬＡＮ接続が切断された場合には、制御部２０は、光源１１１を点灯させた状態のまま、画像供給装置ＰＣから再接続のための接続要求コマンドが入力されるのを所定時間待機し、所定時間が経過しても接続要求コマンドが入力されない場合には、光源１１１を消灯させて、スタンバイ状態に移行する。
【００４９】
以上説明したように、本実施形態のプロジェクタ１によれば、以下の効果を得ることができる。
（１）本実施形態のプロジェクタ１によれば、ネットワークを介して画像データを受信する構成であるため、ビデオケーブルの接続作業が不要になるうえ、制御部２０が、画像供給装置ＰＣと通信部２２との接続状態（ネットワーク接続が確立した状態か否か）に応じて光源の点灯状態を制御するため、ユーザが光源の点灯・消灯作業を行う必要がなくなり、使用時の利便性が向上する。
【００５０】
（２）本実施形態のプロジェクタ１によれば、無線ＬＡＮを用いた無線通信によって画像データを受信する構成のため、ネットワークケーブルの接続作業も不要となり、画像供給装置ＰＣやプロジェクタ１の設置の自由度がより高まる。
【００５１】
（３）本実施形態のプロジェクタ１によれば、無線ＬＡＮによる接続が確立した場合に、制御部２０がランプ駆動部２５に指示をして光源１１１を点灯させるため、入力操作部２１を用いた光源１１１の点灯作業をユーザ自身が行う必要がなくなる。また、接続が確立するまでは、光源１１１が消灯していることになるため、電力消費を抑制することが可能となる。
【００５２】
（４）本実施形態のプロジェクタ１によれば、無線ＬＡＮによる接続が切断された後に、制御部２０がランプ駆動部２５に指示をして光源１１１を消灯させるため、入力操作部２１を用いた光源１１１の消灯作業をユーザ自身が行う必要がなくなる。また、接続が切断された後には光源１１１が消灯するため、電力消費をさらに抑制することが可能となる。
【００５３】
（変形例）
なお、本発明の実施形態は、以下のように変更してもよい。
前記実施形態では、画像供給装置ＰＣとプロジェクタ１との無線通信を、アクセスポイントを介さないアドホックモードで行う例を示しているが、アクセスポイントを介した通信を行うインフラストラクチャモード（アクセスポイントモード）で行うようにしてもよい。また、無線通信としては、無線ＬＡＮに限られず、Ｂｌｕｅｔｏｏｔｈ（登録商標）やＵＷＢ（Ultra wide band）等、他の通信形態を用いるようにしてもよい。また、通信形態は、無線通信に限られず、有線ネットワークで通信を行う形態にも適用可能である。
【００５４】
前記実施形態では、ステップＳ２０５で画像供給装置ＰＣとの無線ＬＡＮ接続が確立したのを受けて、ステップＳ２０６で光源１１１を点灯するようにしているが、接続の確立を待つことなく、接続要求コマンドを受信したことを受けて、光源１１１を点灯するようにしてもよい。
【００５５】
前記実施形態では、ステップＳ２０９で無線ＬＡＮ接続を切断した後に、ステップＳ２１０で光源１１１を消灯するようにしているが、接続の切断を待つことなく、切断要求コマンドを受信したことを受けて、光源１１１を消灯するようにしてもよい。
【００５６】
前記実施形態では、通信部２２の接続状態に応じて、光源１１１の点灯及び消灯の両方を実施可能な構成としているが、いずれか一方のみを接続状態に応じて実施し、他方を手動操作で行うようにしてもよい。
【００５７】
前記実施形態では、ネットワーク接続が確立した直後に光源１１１を点灯し、ネットワーク接続が切断された直後に光源１１１を消灯するようにしているが、接続又は切断されてから所定時間が経過した後に点灯又は消灯するようにしてもよい。
【００５８】
前記実施形態では、意図せずにネットワーク接続が切断された場合には、所定時間待機した後に光源１１１を消灯するようにしているが、切断後すぐに消灯するようにしてもよいし、切断後も点灯状態を維持するようにしてもよい。
【００５９】
前記実施形態では、光源１１１として放電型光源ランプを用いているが、ＬＥＤ（Light Emitting Diode：発光ダイオード）光源や半導体レーザ光源、エレクトロルミネッセンス等、瞬時点灯が可能な固体光源を用いるようにしてもよい。この場合には、光源の点灯後すぐに安定した画像投写が可能となるとともに、消灯後すぐに再点灯させることも可能となり、使用時の利便性がさらに向上する。
【００６０】
前記実施形態では、光変調装置として、透過型の液晶ライトバルブ１４０Ｒ，１４０Ｇ，１４０Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６１】
また、本発明に係るプロジェクタ１の実際のハードウェア構成としては、様々な態様が考えられる。例えば、光源１１１と、画像データ処理部２３と、ライトバルブ駆動部２４と、ランプ駆動部２５と、これらの動作を制御する制御部２０の一部とでメインユニットを構成し、入力操作部２１と、通信部２２と、これらの動作の制御やネットワークの接続処理等を行う制御部２０の一部とでサブユニットを構成するようにしてもよい。この場合、スタンバイ状態のときには、サブユニットのみが動作する状態とし、サブユニットが、接続要求に応じてネットワーク接続を確立させた後にメインユニットを動作させるようにすればよい。
【００６２】
前記実施形態では、画像投写装置として、外部のスクリーンＳＣ等に画像を投写するプロジェクタ１について説明しているが、透過型のスクリーンが一体的に備えられ、その背面側から画像を投写するリアプロジェクタ（リアプロジェクションテレビ等）にも適用可能である。
【図面の簡単な説明】
【００６３】
【図１】プロジェクタの概略構成を説明するためのブロック図。
【図２】画像投写部の構成をより詳細に示す構成図。
【図３】プロジェクタの動作を説明するためのフローチャート。
【符号の説明】
【００６４】
１…プロジェクタ、１０…画像投写部、２０…制御部、２１…入力操作部、２２…通信部、２３…画像データ処理部、２４…ライトバルブ駆動部、２５…ランプ駆動部、１１０…照明光学系、１１１…光源、１４０Ｒ，１４０Ｇ，１４０Ｂ…液晶ライトバルブ、１６０…投写レンズ、ＰＣ…画像供給装置、ＳＣ…スクリーン。
【図１】
2007334180.tif 000003
【図２】
2007334180.tif 000004
【図３】
2007334180.tif 000005